(57)【特許請求の範囲】
【請求項１】
移動自在なエンジン発電機本体（１）に立設された固定ポール（４）と、
この固定ポールに挿入されて伸縮自在に設けられた一つまたは複数個の可動ポール（５）と、
この可動ポールの上部に設けられた照明器（６）と、
前記固定ポールの前面に設けられたガイドプーリ（１１）、前記ガイドプーリを介して前記可動ポールに連結されたワイヤ、及び前記ワイヤを巻き込みまたは巻き出しすることにより前記可動ポールを伸縮させるウィンチからなるポール伸縮手段とを有する可搬式照明装置において、
前記可動ポールの後面に伸縮方向に沿って一つまたは複数個形成された係合部（５ｂ）と、
前記ウィンチの上方に固着され前記ガイドプーリが回転自在に軸支された支持部材（１３）、この支持部材に設けられ前記ガイドプーリを回転自在に支持する軸（１２）が前記支持部材の両側から突出するとともに前記軸を前記伸縮方向に移動自在にガイドするガイド溝（１３ａ）、及び前記軸の両端部を常時上方側に付勢する付勢手段（１６）からなり、前記ウィンチが前記ワイヤを巻き込むときに前記ガイドプーリが前記ガイド溝に沿って下方に移動するようにした第１移動手段（Ａ）と、
前記固定ポールに嵌合され前記固定ポールの側面に設けられたガイド（１４，１４）により前記伸縮方向と直交する方向に進退移動自在な固定ポール（４）の後面（４ｂ）に対向する後部（１５ｂ）を有するスライダ（１５）と、前記スライダの後部（１５ｂ）に前記固定ポールの後面（４ｂ）に設けた穴（４ｄ）に向けて突出形成されたストッパ（１８）と、前記スライダの左右両側面（１５ａ）の先端に形成された前記ガイド溝（１３ａ）から突出する前記軸と移動自在に係合する上方に向かうほど固定ポール（４）に接近するように形成された傾斜溝（１７）とを有し、前記傾斜溝を介して前記第１移動手段の前記伸縮方向の移動をこの伸縮方向と直交する方向の前記スライダの移動に変換する第２移動手段（Ｂ）とからなり、
前記ワイヤの切断時に前記ストッパを前記可動ポールの前記係合部に係合させることにより、前記可動ポールの落下を強制的に防止するようにしたことを特徴とする可搬式照明装置のポール落下防止装置。
【請求項２】
請求項１に記載の可搬式照明装置のポール落下防止装置において、前記付勢手段の他に、または前記付勢手段に替えて前記スライダを前記伸縮方向と直交する方向に付勢する第２の付勢手段（１９）を設けたこと、を特徴とする可搬式照明装置のポール落下防止装置。
【請求項３】
前記スライダの後部に受け部（１５ｃ´）を形成するとともに前記受け部に対向して前記固定ポールにブラケット（２０）を取り付け、前記第２の付勢手段（１９）を前記受け部に装着させて前記スライダの後部と前記ブラケットとの間に介在させたこと、を特徴とする請求項２に記載の可搬式照明装置のポール落下防止装置。
【発明の詳細な説明】
【０００１】
【発明の属する技術分野】
本発明は、可動ポールの伸縮動作により可動ポールの上端に取り付けた照明器の高さ位置を自由に変更できる可搬式の照明装置に設けられ、ワイヤが切れたときの可動ポールの落下を防止して安全の確保や可搬式照明装置の損傷を回避することのできるポール落下防止装置に関する。
【０００２】
【従来の技術】
移動自在なエンジン発電機本体に立設されたポールの上端に照明器が取り付けられた可搬式の照明装置が知られている。そして、可搬式照明装置の中には発電機を一体に備えたものがあり、このような可搬式照明装置は、夜間の工事現場や運動場での使用に便利なことから、近年では広く使用されるに至っている。ところで、前記したような可搬式照明装置の中には、エンジン発電機本体に立設された固定ポールと、この固定ポール内の中空部に伸縮自在に内嵌された可動ポールとを有し、固定ポールに取り付けられたウィンチによりガイドプーリを介して前記可動ポールに連結されたワイヤを巻き出し・巻き込みすることにより、前記可動ポールを伸縮させて照明器の高さ位置を自在に変更できるものがある。
【０００３】
図６は、可動ポールを伸縮させる公知のポール伸縮手段の説明図で、固定ポールの上部の縦断面図である。固定ポール４の途中部位には図示しないウィンチが設けられ、このウィンチの巻き取りドラムから延出されたワイヤ８が固定ポール４の上部に設けられたガイドプーリ１１を経て固定ポール４内の中空部に導かれている。そして、ワイヤ８は、可動ポール５の下端に取り付けられたプーリ９を介して、その先端が可動ポール５の連結部５ａに連結されている。前記巻き取りドラムを回転させて前記ウィンチでワイヤ８を巻き取ると（図６においてワイヤ８の巻き取り方向を矢印Ｚで示す）、ワイヤ８がプーリ９を介して可動ポール５の下端を引き上げるので、可動ポール５が固定ポール４から図中矢印Ｙの方向に伸長して上端に取り付けられた照明器を上昇させる。照明器を所定高さ位置まで上昇させた後は、ウィンチの巻き取り動作を停止させるとともに前記巻き取りドラムをロックさせて、ワイヤ８の張力により可動ポール５が落下しないようにする。
【０００４】
しかしながら、前記したような可搬式照明装置は、その性質上屋外で使用されることが多く、腐食や錆により使用の途中においてワイヤが切れることがある。また、可搬式照明装置の頻繁な移動や照明器の高さ位置の変更により、ワイヤが疲労切断することがある。このような場合、可搬式照明装置の付近に人がいると、落下してきた照明器がその人を直撃して重大な人身事故を起こしたり、落下時の衝撃により可搬式照明装置を損傷してしまうという問題があった。
【０００５】
【発明が解決しようとする課題】
本発明は前記の問題点に鑑みてなされたもので、第１移動手段と第２移動手段の２段階機構を用いた信頼性の高い可搬式照明装置のポール落下防止装置を提供することを目的とする。
【０００６】
【課題を解決するための手段】
前記の目的を達成するために、本発明のポール落下防止装置は、移動自在なエンジン発電機本体に立設された固定ポールと、この固定ポールに挿入されて伸縮自在に設けられた一つまたは複数個の可動ポールと、この可動ポールの上部に設けられた照明器と、前記固定ポールの前面に設けられたガイドプーリ、前記ガイドプーリを介して前記可動ポールに連結されたワイヤ、及び前記ワイヤを巻き込みまたは巻き出しすることにより前記可動ポールを伸縮させるウィンチからなるポール伸縮手段とを有する可搬式照明装置において、前記可動ポールの後面に伸縮方向に沿って一つまたは複数個形成された係合部と、前記ウィンチの上方に固着され前記ガイドプーリが回転自在に軸支された支持部材、この支持部材に設けられ前記ガイドプーリを回転自在に支持する軸が前記支持部材の両側から突出するとともに前記軸を前記伸縮方向に移動自在にガイドするガイド溝、及び前記軸の両端部を常時上方側に付勢する付勢手段からなり、前記ウィンチが前記ワイヤを巻き込むときに前記ガイドプーリが前記ガイド溝に沿って下方に移動するようにした第１移動手段と、前記固定ポールに嵌合され前記固定ポールの側面に設けられたガイドにより前記伸縮方向と直交する方向に進退移動自在な固定ポールの後面に対向する後部を有するスライダと、前記スライダの後部に前記固定ポールの後面に設けた穴に向けて突出形成されたストッパと、前記スライダの左右両側面の先端に形成された前記ガイド溝から突出する前記軸と移動自在に係合する上方に向かうほど固定ポールに接近するように形成された傾斜溝とを有し、前記傾斜溝を介して前記第１移動手段の前記伸縮方向の移動をこの伸縮方向と直交する方向の前記スライダの移動に変換する第２移動手段とからなり、前記ワイヤの切断時に前記ストッパを前記可動ポールの前記係合部に係合させることにより、前記可動ポールの落下を強制的に防止するようにしたことを特徴とする。
また、前記のポール落下防止装置において、前記付勢手段の他に、または前記付勢手段に替えて前記スライダを前記伸縮方向と直交する方向に付勢する第２の付勢手段を設けてもよい。
【０００７】
【実施の形態】
本発明の好適な実施形態を図に従って説明する。なお、以下の説明において「前」というときは図面の左側を、「後」というときには図面の右側を指すものとする。
【０００８】
まず、図５に従って可搬式照明装置の全体構成を説明する。
車輪３が取り付けられて移動自在なエンジン発電機本体１には、前面に角形筒状の固定ポール４が鉛直に立設されている。この固定ポール４には、上下方向（図中矢印Ｙで示す方向，以下Ｙ方向という）に伸縮自在な可動ポール５が内嵌されている。符号２は発電機等の制御盤である。照明器６は可動ポール５の上端に取り付けられていて、可動ポール５の伸縮とともに、図中二点鎖線で示すように高さ位置を調整できるようになっている。符号７は、ワイヤ８を巻き取る図示しない巻き取りドラムを有し、この巻き取りドラムを回転させることによりワイヤ８を巻き出し・巻き込みする公知のウィンチで、固定ポール４の途中部位に設けられている。なお、ウィンチ７は必ずしも固定ポール４に設ける必要はなく、ワイヤ８を巻き出し・巻き込みすることができれば、エンジン発電機本体１側に設けるものとしてもよい。
【０００９】
［本発明の第１の実施形態の説明］
次に、第１の実施形態における本発明のポール落下防止装置を図１，図２に従って説明する。
図１は本発明のポール落下防止装置の斜視図、図２は本発明のポール落下防止装置の作用を説明する要部の断面側面図である。
断面角形状に形成された固定ポール４の上部側の平行な二つの左右両側面４ｃ，４ｃには、ガイド１４，１４が設けられている。このガイド１４，１４は、側面４ｃに溶接またはボルト等により取り付けられている。なお、図において符号１４ａはガイド１４，１４に設けられたカバーである。スライダ１５はガイド１４，１４に案内されながら前後方向（図中矢印Ｘで示す方向，以下Ｘ方向という）に進退移動自在に設けられている。スライダ１５は、ガイド１４，１４により案内される側面部１５ａと、固定ポール４の後面４ｂに対向する後部１５ｂとから構成されていて、全体で平面視してコの字状になるように形成されている。そして、このスライダ１５は、ガイド１４，１４に案内されながら、可動ポール５のＹ方向と直交するＸ方向に進退移動自在である。
【００１０】
ウィンチ７から延出されたワイヤ８を固定ポール４の内部へ案内するガイドプーリ１１は、固定ポール４の上部の前面４ａに設けられている。すなわち、スライダ１５の後部１５ｂが当接する固定ポール４の後面４ｂに対向する前面４ａに、ガイドプーリ１１の支持部材１３が固着され、支持部材１３により両端を支持された軸１２にガイドプーリ１１が回転自在に取り付けられている。支持部材１３の両側には、Ｙ方向に直線状のガイド溝１３ａが形成されている。一方、固定ポール４の側面４ｃから前面に突出するスライダ１５の側面部１５ａには、ガイド溝１３ａに交叉する傾斜溝１７が形成されている。この傾斜溝１７は、上方に向かうほど固定ポール４に接近するように形成されている。そして、ガイドプーリ１１の軸１２が、ガイド溝１３ａを貫通して傾斜溝１７と係合し、その両端はワッシャとピンにより抜け止め手段が施されている。この態様により、軸１２及びガイドプーリ１１はガイド溝１３ａに沿ってＹ方向に移動自在であるが、軸１２がＹ方向に移動すると、軸１２に係合する傾斜溝１７によってスライダ１５がガイド１４，１４に案内されながらＸ方向に進退移動する。
【００１１】
固定ポール４のガイドプーリ１１よりも上方にはブラケット１６ａが設けられ、このブラケット１６ａと軸１２との間に、ガイドプーリ１１を挟んで付勢手段、例えばこの実施形態においては２本の引張コイルばね１６（以下、ばね１６という）が張架されている。軸１２は、このばね１６により常時上方側に付勢されている。なお、ばね１６は、軸１２に常に均等な付勢力を付加できるように、同一のものである。ガイドプーリ１１にワイヤ８が巻回されていない場合や、ワイヤ８に張力Ｔが作用していない場合には、軸１２はばね１６の付勢力によりガイド溝１３ａに沿ってＹ方向上側に移動するが、軸１２は傾斜溝１７と常時係合しているので、スライダ１５にはスライダ１５をＸ方向前側に移動させる力が付勢されることになる。
【００１２】
スライダ１５の後部１５ｂには、固定ポール４の後面４ｂに向けてピン状のストッパ１８が突出形成されている。一方、固定ポール４の後面４ｂには、ストッパ１８が挿脱自在な穴４ｄが形成されている。このストッパ１８の形状はピン状に限らずブロック状のもの、その他の形状のものであってもよいが、後部１５ｂが後面４ｂに当接するまでスライダ１５が移動したときに、固定ポール４の穴４ｄから固定ポール４内に挿入され、かつ、落下してくる可動ポール５と係合して可動ポール５の落下を阻止することができるものでなければならない。
【００１３】
可動ポール５には、ストッパ１８と係合できる係合部５ｂが設けられている。この係合部５ｂは、可動ポール５の下端縁であってもよいし、固定ポール４の後面４ｂと摺接する可動ポール５の後面にストッパ１８が挿脱できる穴５ｃを一つまたはＹ方向に沿って適宜間隔で複数個形成するものとしてもよい。この場合は、穴５ｃの上部穴周縁がストッパ１８と係合する係合部５ｂとなる。穴５ｃをＹ方向に沿って複数個形成したものは、ストッパ１８が穴５ｃのいずれかと係合して落下を阻止するので、可動ポール５を伸長または縮退させている作業工程中においてワイヤ８が切れても、確実に可動ポール５の落下を阻止することができ、より安全であるという特徴がある。なお、前記したワイヤ８，ガイドプーリ１１，軸１２，支持部材１３，ガイド溝１３ａ，ばね１６等で二段階移動のための第１移動手段Ａが、ガイド１４，１４，スライダ１５，傾斜溝１７等で第２移動手段Ｂが構成されている。
【００１４】
［作用］
次にこの実施態様における前記構成のポール落下防止装置の作用を図２に従って説明する。
可動ポール５を固定ポール４から伸長させて照明器６を上昇させる場合や、照明器６を高位置で保持させる場合等には、ワイヤ８には張力Ｔが作用するとともに、ガイドプーリ１１及び軸１２には下向きの力が作用する。この下向きの力は、ばね１６の付勢力よりも十分に大きいので、軸１２はばね１６の付勢力に抗してガイド溝１３ａに沿ってＹ方向下側に移動する。ガイド溝１３ａに沿った軸１２のＹ方向下側への移動は、傾斜溝１７を介してスライダ１５をＸ方向後側に移動させるので、スライダ１５の後部１５ｂが固定ポール４の後面４ｂから離間する。すなわち、ワイヤ８にある程度以上の張力が作用している場合には、ストッパ１８は固定ポール４の穴４ｄから完全に抜脱した状態にあって、可動ポール５の伸縮に支障が生じないようになっている（図２（イ）の状態）。
【００１５】
ワイヤ８が切れると、可動ポール５はＹ方向に沿って落下しようとする。また、ワイヤ８の張力Ｔによりガイドプーリ１１及び軸１２に作用していた下向きの力が無くなるので、ガイドプーリ１１及び軸１２はばね１６の付勢力によりガイド溝１３ａに沿ってＹ方向上側に移動する。この軸１２のＹ方向上側への移動は、傾斜溝１７によりスライダ１５のＸ方向前側への移動に変換される。スライダ１５は、後部１５ｂが固定ポール４の後面４ｂに当接するまで移動するので、ストッパ１８が穴４ｄから固定ポール４内に挿入される。ワイヤ８が切れてからストッパ１８が穴４ｄに挿入されるまで僅かながら時間差があるが、可動ポール５の係合部５ｂはストッパ１８よりも上方に位置しているため可動ポール５は確実にストッパ１８に当接して落下が阻止される（図２（ハ）の状態）。なお、この場合、図２（ロ）に示すようにスライダ１５の移動はストッパ１８が穴５ｃ，５ｃ間の可動ポール５の後面に当接することによって一時的に規制されることがあるが、可動ポール５の穴５ｃがストッパ１８の高さ位置まで下降してくると、前記規制が解除されてスライダ１５のＸ方向前側への移動が可能になり、可動ポール５の落下を阻止するので何ら不都合がない。このように、本発明の第１の実施形態では、ワイヤ８が切れたときにまず第１移動手段Ａの軸１２をＹ方向上側に移動させ、軸１２を介して第２移動手段Ｂのスライダ１５をＸ方向前側に移動させる２段式の機構として可動ポール５の係合部５ｂにストッパ１８を係合させるため、重量物である照明器を備えた可動ポールが高い位置から急速に落下しても、瞬時に可動ポールの係合部５ｂにストッパ１８が係合し、また、落下時の強い衝撃によってストッパ１８が解除されてしまうということがない。
【００１６】
［本発明の第２の実施形態の説明］
次に、本発明の第２の実施形態を図３に従って説明する。
図３に示す本発明の第２の実施形態では、前記の第１の実施形態で示したピン状のストッパ１８に代えて、ブロック状のストッパ１８′をスライダ１５の後部１５ｂに取り付けている。ブロック状とすることにより、Ｙ方向に沿ったストッパ１８′の長さ寸法を大きく取ることが可能になり、強度が向上して照明器６が重量物であったり、可動ポール５が複数設けられた多段式の可搬式照明装置であったりする場合に有利である。
【００１７】
［本発明の第３の実施形態］
図４は本発明の第３の実施形態にかかり、ポール落下防止装置の一部破断の側面図である。
前記の第１及び第２の実施形態は、軸１２を２本の引張コイルばね１６で常時Ｙ方向上側に付勢し、このばね１６の付勢力によりワイヤ８が切れたときにスライダ１５（図１，図３参照）を前方側に移動させるものであるが、この第３の実施形態では、ワイヤ８が切れたときにストッパ１８′（１８）を作動させる第２の付勢手段としての圧縮コイルばね１９を設けている。なお、この第３の実施形態においては、第１及び第２の実施形態で説明したばね１６の他に圧縮コイルばね１９を設けるものとしてもよいが、ばね１６に替えて圧縮コイルばね１９を設けるものとしてもよい。
【００１８】
図４に示すように、固定ポール４の後面には側面視して略コの字状のブラケット２０が取り付けられ，ブラケット２０の底部２０ａとスライダ１５′の後部１５ｂ′とが対向している。スライダ１５′の後部１５ｂ′には、圧縮コイルばね１９の脱落を防止するための筒状のばね受け部１５ｃ′が形成され、このばね受け部１５ｃ′に圧縮コイルばね１９の一端が嵌装されている。勿論、圧縮コイルばね１９の脱落を防止することができるものであれば、受け部は前記した筒状のばね受け部１５ｃ′に限らず他の形態のものであってもよい。圧縮コイルばね１９の他端はブラケット２０の底部２０ａに当接していて、スライダ１５′を常時Ｘ方向前側へ付勢している。なお、圧縮コイルばね１９は一つまたは複数であってもよいが、スライダ１５′がガイド１４，１４に沿って案内されながらスムースに前方側へ移動することができるようにするために、圧縮コイルばね１９はスライダ１５′の後面に均等に付勢力を配分できるように配置することが望ましい。また、スライダ１５′をばね等の付勢手段で常時Ｘ方向前側に付勢することができるものであれば、固定ポール４に取り付けられた引張コイルばねの一端をスライダ１５′に取り付け、スライダ１５′に常時引っ張り力（付勢力）が付与されるようにしてもよい。
【００１９】
本発明の好適な実施形態を説明してきたが、本発明は前記の実施形態に限定されるものではない。例えば、前記の実施形態では、可動ポール５を一つのみ備え、照明器６を高低二段階に高さ位置調整できる可搬式照明装置について説明したが、可動ポール５を二個以上備え多段階に高さ位置調整が可能な他の可搬式照明装置にも適用できることは勿論である。また、前記の第３実施形態において、付勢手段であるばね１６の他に、またはばね１６に替えて付勢手段である圧縮コイルばね１９を設けてもよいとして説明したが、スライダ１５′をＸ方向に付勢することができるものであれば圧縮コイルばね１９に限らず板ばね等であってもよい。
【００２０】
【発明の効果】
本発明は前記のように構成されているので、ワイヤが切れたときにワイヤの張力を利用した付勢手段が動作し、第１移動手段の軸をＹ方向（伸縮方向）上側に移動させ、前記軸を介して第２移動手段のスライダをＸ方向（伸縮方向と直交する方向）前側に移動させる２段式の機構で、Ｘ−Ｙ方向の二方向手段により可動ポールの係止部にストッパを係合させるため、重量物である照明器を備えた可動ポールが高い位置から急速に落下しても、瞬時に可動ポールの係合部にストッパが係合し、また、ストッパに対して落下時の強い衝撃が与えられても、スライダと第１移動手段の軸とはＸ−Ｙ方向に動作する機構になっているので、スライダがＸ方向後側に移動されることがなく、確実に可動ポールの落下を防止することができ、人身事故の防止や照明装置の損傷を防止することができる。
【００２１】
また、前記Ｙ方向の付勢手段の他に前記スライダを前記Ｘ方向に付勢する第２の付勢手段を設けたものは、スライダの移動がより迅速にかつ一方の付勢手段が切断等した場合にも他方の付勢手段が確実にスライダを移動させるので、ポール落下防止装置の信頼性を向上させることができる。
【図面の簡単な説明】
【図１】本発明のポール落下防止装置の第１の実施形態にかかり、その全体構成を示す斜視図である。
【図２】本発明のポール落下防止装置の作用を説明する側面図で、（イ）はワイヤが切れる前の状態を、（ロ）はワイヤが切れたときの状態を、（ハ）はストッパが可動ポールの係合部に係合したときの状態を示すものである。
【図３】本発明の第２の実施形態にかかり、ポール落下防止装置の一部破断の側面図である。
【図４】本発明の第３の実施形態にかかり、ポール落下防止装置の一部破断の側面図である。
【図５】可搬式照明装置の全体構成を説明する側面図である。
【図６】可動ポールを伸縮させるポール伸縮手段の説明図で、固定ポールの上端部分の縦断面図である。
【符号の説明】
Ａ  第１移動手段
Ｂ  第２移動手段
１  エンジン発電機本体
２  制御盤
３  車輪
４  固定ポール
４ａ  前面
４ｂ  後面
４ｃ  側面
４ｄ  穴
５  可動ポール
５ａ  連結部
５ｂ  係合部
５ｃ  穴
６  照明器
７  ウィンチ
８  ワイヤ
９  プーリ
１０  ポール落下防止装置
１１  ガイドプーリ
１２  軸
１３  支持部材
１３ａ  ガイド溝
１４  ガイド
１４ａ  カバー
１５，１５′  スライダ
１５ａ  側面部
１５ｂ ，１５ｂ´  後部
１５ｃ′  ばね受け部（受け部）
１６  引張コイルばね（付勢手段）
１７  傾斜溝
１８，１８′  ストッパ
１９  圧縮コイルばね（第２の付勢手段）
２０  ブラケット
Ｔ  ワイヤの張力
【図１】
0003564676.tif 000002
【図２】
0003564676.tif 000003
【図３】
0003564676.tif 000004
【図４】
0003564676.tif 000005
【図５】
0003564676.tif 000006
【図６】
0003564676.tif 000007